(57)【要約】【課題】  材料効率および生産性を向上させた、施工性に優れた照明器具を提供することを目的とする。【解決手段】  装置本体２と電源ユニット３を、装置本体２の上部に設けられた放熱フィン６の上面との間に空間を設けて固定された弾性を有する連結部材８で連結するようにして、装置本体２と電源ユニット３を接続する連結部材８を簡易構造にしたので、部材の材料取りの歩留まりを向上させるとともに、照明器具の組立て手順を簡略化させ、材料効率および生産性を向上させた、施工性に優れた照明器具を提供することができる。【選択図】  図５
2015005346.tif 000002
【特許請求の範囲】
【請求項１】
光源と前記光源から発生した熱を放熱する放熱フィンを有する装置本体と、
前記装置本体に前記光源を点灯させるための電力を供給する電源ユニットと、
弾性を有し、前記放熱フィンの上面との間に空間を設けて固定され、前記装置本体と前記電源ユニットを連結する連結部材と、
を備えたことを特徴とする照明装置。
【請求項２】
前記連結部材の下に配置されている前記放熱フィンにおいて、
上方を前記連結部材に覆われている部分の、下面から上面までの高さは、前記放熱フィンの下面から前記連結部材の下端までの高さよりも低いことを特徴とする請求項１に記載の照明装置。
【請求項３】
前記連結部材には、前記連結部材の上面において、装置本体と電源ユニットを結ぶ方向と交わる方向に形成され、前記連結部材の下面よりも下方へ曲折された折り曲げ部が設けられていることを特徴とする請求項１〜２のいずれかに記載の照明装置。
【請求項４】
前記連結部材には、前記連結部材の上面において、装置本体と電源ユニットを結ぶ方向と交わる方向に形成され、前記連結部材の上面よりも上方へ曲折された折り曲げ部が設けられていることを特徴とする請求項１〜３のいずれかに記載の照明装置。
【発明の詳細な説明】
【技術分野】
【０００１】
本発明は、天井等に取り付け固定する照明器具に関する。
【背景技術】
【０００２】
従来、天井面に埋め込んで使用されるダウンライトにおいて、天井面に形成された埋込穴や天井裏のスペースの制約がある中、照明器具の施工性の向上を図るために、電源ユニットを連結部材で本体横方向に連結し、装置本体と電源ユニットを接続する連結部材を用いて、電源ユニットを回動可能に取付けることのできる照明器具が知られている。（例えば、特許文献１参照）
【先行技術文献】
【特許文献】
【０００３】
【特許文献１】特開２０１１−０７０８５９号公報(第２頁、第１２図)
【発明の概要】
【発明が解決しようとする課題】
【０００４】
しかしながら、回動可能な連結部材の構造を形成するには、電源ケースおよび取付け板に複雑な構造が必要となり、構造の複雑さから製造プロセスで使用する材料の効率および生産性が悪化するという問題があった。
【０００５】
本発明は、上記のような問題を解決するためになされたものであり、材料効率および生産性を向上させた、施工性に優れた照明器具を提供することを目的とする。
【課題を解決するための手段】
【０００６】
本発明に係る照明器具は、装置本体と電源ユニットを、装置本体の上部に設けられた放熱フィンの上面との間に空間を設けて固定された、弾性を有する連結部材で連結することを特徴とするものである。
【発明の効果】
【０００７】
本発明によれば、装置本体と電源ユニットを接続する連結部材を簡易構造にすることにより、部材の材料取りの歩留まりを向上させるとともに、器具の組立て手順を簡略化させ、材料効率および生産性を向上させた、施工性に優れた照明器具を提供することができる。
【図面の簡単な説明】
【０００８】
【図１】本発明の実施の形態１に係る照明器具の側面図である。
【図２】本発明の実施の形態１に係る照明器具の斜視図である。
【図３】本発明の実施の形態１に係る照明器具の本体と電源ユニットを連結する連結部材の側面図である。
【図４】本発明の実施の形態１に係る照明器具の本体と電源ユニットを連結する連結部材の斜視図である。
【図５】本発明の実施の形態１に係る照明器具を天井面に設置する過程を示す側面図である。
【図６】本発明の実施の形態１の他の実施例に係る照明器具の本体と電源ユニットを連結する連結部材の側面図である。
【図７】本発明の実施の形態１の他の実施例に係る照明器具の本体と電源ユニットを連結する連結部材の側面図である。
【図８】本発明の実施の形態１の他の実施例に係る照明器具の本体と電源ユニットを連結する連結部材の側面図である。
【図９】本発明の実施の形態２に係る照明器具の側面図である。
【発明を実施するための形態】
【０００９】
以下、本発明に係る照明器具の好適な実施の形態について図を参照して説明する。なお、これらの実施の形態によって本発明が限定されることはない。
【００１０】
実施の形態１．
本発明の具体的な構成について図１乃至図８にて説明する。図１、２、５はこの発明の実施の形態１に係る照明器具全体を示すものである。図３、４はこの発明の実施の形態１に係る連結部材８を示すもの、図６乃至８は、この発明の実施の形態１に係る連結部材８の他の実施例を示すものである。
【００１１】
ダウンライト１は、光源を有するほぼ筒状の本体２と、この本体２に連結され、本体に光源を点灯させるための電力を供給する電源ユニット３とから構成されている。
【００１２】
図１、２に示すように、本体２は、本体２の内側に取付けられ、ＬＥＤを光源とするＬＥＤモジュール（図示せず）と、光学制御用反射板４と、発光部を保護する透明カバー５と、本体２の上部に設けられ、ＬＥＤモジュールから発生した熱を放熱する放熱フィン６と、を備え、また、本体２の上部には、受電コネクタ（図示せず）が配置されており、本体２の下部には、複数の取付け用板ばね７が装着されている。
【００１３】
電源ユニット３は商用電源を入力とし、本体２に取り付けられたＬＥＤモジュールを点灯させるための定電流出力の点灯回路や電気的なノイズを抑制する保護回路などを搭載した電源基板をケースに格納したものである。
【００１４】
本体２と電源ユニット３は弾性を持つ板である連結部材８により接続される。尚、電源ユニット３とＬＥＤモジュールは連結部材８とは別に電線などにより電気的な接続がされている。
【００１５】
また、電源ユニット３には連結部材８または本体２への接続方向とは反対側の方向に電源端子台９が設けられ、電源端子台９を介して電源ユニット３に商用電源を供給する。電源端子台９には通常ＶＶＦケーブルなどの電源線１０が接続され、電源線１０を介して商用電源が供給されている。
【００１６】
連結部材８は、ステンレスなどを材料とした弾性部材からなる一枚の板材で形成されており、図３に示すように、上面が長方形状に形成されたバネ部８１と、バネ部８１の一端の両側面から下方に向かって延びる一対の固定部８２ａと、バネ部８１の他端の両側面から下方に向かって延びる一対の固定部８２ｂで構成されている。
【００１７】
また、連結部材８のバネ部８１において、バネ部８１を側面側から見た場合に、固定部８２ａ、８２ｂが設けられていない部分のほぼ中央にＵ字状の曲げ部８３が設けられている。
【００１８】
図４に示すように、Ｕ字状の曲げ部８３は、バネ部８１を上面側から見た場合に、装置本体２と電源ユニット３を結ぶ方向と交わる方向に窪んで形成され、連結部材８の下面よりも下方へ曲折された折り曲げ部であり、この曲げ部８３を支点に本体２に対し電源ユニット３が上下方向および水平方向に回動自在に動く。
【００１９】
ここで、水平方向とは、ダウンライト１を天井面に設けた際に、天井面１００と水平な方向のことである。
【００２０】
また、連結部材８の固定部８２ａは、本体２の放熱フィン６の側面上方にねじなどの固定手段によって取り付けられ、連結部材８の固定部８２ｂは、電源ユニット３の、電源端子台９が設けられている側とは反対側の端部側面にねじなどの固定手段によって取り付けられている。
【００２１】
なお、放熱フィン６は、本体２の透明カバー５と鉛直方向に延びる放熱フィン６の先端から主な熱を放熱するため、放熱フィン６の上方を塞ぐように連結部材８を固定すると、放熱の抵抗となって放熱効率が低下してしまう。
【００２２】
そこで、図２に示すように、上方の一部を連結部材８で覆われる放熱フィン６１において、上方を連結部材８で覆われているフィン部６１ａの高さを、連結部材８によって上方を覆われていないその他複数の放熱フィン６２における同箇所の高さよりも低くし、フィン部６１ａの上面と連結部材８のバネ部８１の下面との間に空間を設け、連結部材８に上方を覆われるフィン部６１ａの放熱効率の低下を抑制している。
【００２３】
なお、フィン部６１ａの高さは、本体２に固定された状態における固定部８２ａの下端までの高さよりも低い、固定部８２ａの下端に届かない高さにすることでフィン部６１ａの側面が開放されることとなり、放熱効率をより高めることができる。
【００２４】
また、フィン部６１ａの高さを、バネ部８１に設けられたＵ字状の曲げ部８３の下端までの高さよりも低い高さにすることで、電源ユニット３側の面がより開放されることとなり、放熱効率をより高めることができる。
【００２５】
なお、バネ部８１の形状としてＵ字状の曲げ部８３を例に挙げたが、バネ部８１に曲げ加工を設けることで、本体２に対し電源ユニット３を上下方向および水平方向に回動自在に動かすことができる。
【００２６】
よって、Ｕ字状に限らず、図６に示すようなＶ字状の曲げ部８４、図７に示すような矩形状の曲げ部８５を設けても同様の効果が得られ、また、Ｕ字状の曲げ部８３、Ｖ字状の曲げ部８４、矩形状の曲げ部８５のように、バネ部８１の下面よりも下方へ曲折させた形状だけでなく、図８に示すような、バネ部８１の下面より下方へ曲折させ、かつ、バネ部８１の上面よりも上方へ曲折させ隆起したＷ字形状の曲げ部８６を設けても良い。
【００２７】
さらに、バネ部８１の上面よりも上方へ曲折させただけの形状を設けても良く、バネ部８１の上面よりも上方へ曲折させた形状を用いた場合、フィン部６１ａの電源ユニット３側の面が完全に開放されることとなり、さらなる放熱効率を高めることができる。なお、以下の説明では、Ｕ字状の曲げ部８３を設けた場合を例として説明する。
【００２８】
次に、本発明の実施の形態１に係るダウンライトの動作について説明する。
電源ユニット３に商用電源から通電されると、ＬＥＤモジュールに電力が給電され、ＬＥＤが発光する。ＬＥＤから出射された光の多くは直接透明カバー５を透過して前方に照射され、一部の光は光学制御用反射板４の各反射面に反射されて配光制御され透明カバー５を透過し前方に照射される。一方、これに伴いＬＥＤから発生する熱は、ＬＥＤモジュールから本体２へ伝わり、さらに、外周の本体２の全体、放熱フィン６へ伝導され、その伝導過程での放熱を伴いながら放熱される。
【００２９】
次に、本発明の実施の形態１に係るダウンライトの設置方法について図５を参照して説明する。
【００３０】
まず、天井面１００の裏に配線されている電源線１０を天井面に形成された埋込穴１０１から引き出し、電源ユニット３の電源端子台９に接続する。そして、電源ユニット３を電源端子台９が設けられている側から埋込穴１０１に挿入し、天井面１００の裏のスペースに挿入していく。
【００３１】
このとき、本体２と電源ユニット３を連結する連結部材８は、本体２の自重によってたわみ、本体２が電源ユニット３の下側へ近づいている。その後も、連結部材８を湾曲させながら電源ユニット３を天井面１００の裏スペースに挿入させていくことで、本体２が埋込穴１０１の周縁に当接することはなく、埋込穴１０１の周縁と本体２との間には隙間が形成され、本体２の埋込穴１０１における干渉が回避されるので、本体２が埋込穴１０１にぶつかり設置が困難になるおそれがない。
【００３２】
そして、電源ユニット３の大半が天井面１００の裏のスペースに挿入されると同時に、本体２の一対の取付け用板ばね７を両手で弾性力に抗して押し窄めるように操作して、本体２を支えながら埋込穴１０１に挿入する。本体２が埋込穴１０１に挿入されるに伴い、手を離し本体２を押し上げる。これにより、取付け用板ばね７が外側方向に復帰して天井面１００の裏面に当接し、この弾性力によって本体２が上方に引き上げられて、ダウンライト１が天井面１００に設置される。
【００３３】
なお、設置された際に、電源ユニット３の電源端子台９に接続された電源線１０が引っ張られる場合があるが、連結部材８は天井面１００に対して上下方向のみならず水平方向にも湾曲可能なため、電源端子台９にかかる応力が軽減される。
【００３４】
以上のように本実施形態によれば、本体２と電源ユニット３を連結する連結部材８を弾性を持った簡易構造にすることで、材料費の削減および器具の組立て手順を簡略化させるとともに、天井裏のスペースの低い制約された設置場所でも連結部材８を湾曲させながら電源ユニット３を容易に設置することができ、材料効率および生産性の向上が図れる、施工性に優れた照明器具を提供することができる。
【００３５】
また、実施形態によれば、電源端子台９に天井面１００と水平な方向に荷重がかかった場合でも、電源端子台９にかかる応力が緩和され、電源端子台９に加わる応力の負担が軽減されるといった効果を発揮することができる。
【００３６】
なお、実施の形態１において、連結部材８と本体２もしくは電源ユニット３を固定する固定手段としてねじを例にあげたが、ねじに限定することはなく、リベットや爪によって固定する方法でもよい。
【００３７】
実施の形態２．
実施の形態１では連結部材８のバネ部８１に曲げ部を設けた例を挙げたが、バネ部８１に曲げ加工を設けなくとも、施工性に優れより、コスト面、生産性、放熱性を向上させた照明器具を提供させることができる。
【００３８】
図９は実施の形態２に係るバネ部８１０の側面図を示すものである。
【００３９】
この実施の形態２が実施の形態１と異なるのは、バネ部８１の形状を変更し、平板形状のバネ部８１０にした点である。その他の構成については実施の形態１と同一または同等であり、図９を用いる。なお、実施の形態１と同一又は同等な構成部分については同一符号を付し、その説明を省略する。
【００４０】
実施の形態２に係るバネ部８１０を側面から見ると、直線状に形成されており、バネ部８１０を支点に本体２に対し電源ユニット３が上下方向に回動自在に動く。
【００４１】
また、実施の形態２に係るバネ部８１０は、実施の形態１に係るバネ部８１の曲げ部８３〜８６が設けられていないため、フィン部６１ａの側面が曲げ部によって覆われることなく、完全に開放されているので、優れた放熱効率が発揮される。
【００４２】
次に、本発明の実施の形態２に係るダウンライト１の設置方法については、実施の形態１に係るダウンライト１の設置方法と同様におこなわれるため省略するが、実施の形態２に係るダウンライト１の連結部材８の形状は平板形状のため、連結部材８が天井面１００に対して上下方向に湾曲可能なため、電源端子台９に荷重がかかった場合でも、電源端子台９にかかる応力が緩和され、電源端子台９に加わる応力の負担が軽減される。
【００４３】
以上のように本実施形態によれば、本体２と電源ユニット３を、弾性を持った連結部材８で連結させることで、実施の形態１と同様に、天井裏のスペースの低い制約された設置場所でも連結部材８を湾曲させながら電源ユニット３を容易に設置することができるうえ、連結部材８に曲げ加工が施されていないため、曲げ加工を施すための金型や製造装置が不要なうえに、製造工程も削減するので、実施の形態１よりもさらに安いコストで製造でき、さらなる生産性の向上が図れるとともに、さらに放熱効率の高い、施工性に優れた照明器具を提供することができる。
【符号の説明】
【００４４】
１  ダウンライト、２  本体、３  電源ユニット、４  光学制御用反射板、５  透明カバー、６  放熱フィン、６１  上方の一部を連結部材に覆われている放熱フィン、６１ａ  連結部材に上方を覆われているフィン部、６２  連結部材に上方を覆われていない放熱フィン、７  取付け用板ばね、８  連結部材、８１  バネ部、８２ａ  固定部（本体側）、８２ｂ  固定部（電源ユニット側）、８３  Ｕ字状曲げ部、８４  Ｖ字状曲げ部、８５  矩形状曲げ部、８６  Ｗ字状曲げ部、８１０  バネ部、９  電源端子台、１０  電源線、１００  天井面、１０１  埋込穴。
【図１】
2015005346.tif 000003
【図２】
2015005346.tif 000004
【図３】
2015005346.tif 000005
【図４】
2015005346.tif 000006
【図５】
2015005346.tif 000007
【図６】
2015005346.tif 000008
【図７】
2015005346.tif 000009
【図８】
2015005346.tif 000010
【図９】
2015005346.tif 000011